(57)【特許請求の範囲】
【請求項１】
第一の出力端と第二の出力端とを有する周波数変換用の平衡型の混合器と第一の入力端と第二の入力端とを有する平衡型の中間周波増幅器とを内蔵する集積回路を備え、前記第一の出力端と前記第一の入力端との間、及び前記第二の出力端と前記第二の入力端との間を前記集積回路内に形成した第一の容量素子によってそれぞれ接続し、前記集積回路には前記第一の出力端に接続された第一の外部端子と前記第二の出力端に接続された第二の外部端子と前記第一の入力端に接続された第三の外部端子とを設け、前記第一の外部端子と前記第二の外部端子との間には中間周波数帯のほぼ中心周波数に同調する中間周波同調回路を接続し、前記第一の外部端子と前記第三の外部端子とをインダクタンス素子によって結合したことを特徴とするテレビジョンチューナの中間周波回路。
【請求項２】
前記インダクタンス素子に直列に第二の容量素子を介挿すると共に前記第一の容量素子と前記インダクタンス素子と前記第二の容量素子とによって直並列共振回路を構成し、前記直並列共振回路の直列共振周波数をほぼ前記中心周波数に一致させ、並列共振周波数を下側隣接チャンネルの音声中間搬送波の周波数に一致させたことを特徴とする請求項１に記載のテレビジョンチューナの中間周波回路。
【発明の詳細な説明】
【０００１】
【発明の属する技術分野】
本発明は、テレビジョンチューナの中間周波回路、詳しくは集積回路によって構成したテレビジョンチューナの中間周波回路に関する。
【０００２】
【従来の技術】
従来のテレビジョンチューナの中間周波回路を図６によって説明する。集積回路２１内には混合器２２、中間周波増幅器２３、その他局部発振器（図示せず）等が構成されている。混合器２２は平衡出力端を有する平衡型の混合器として構成され、混合器２２には外部の複同調回路によって選択された受信チャンネルのテレビジョン信号ＲＦが入力されると共に、局部発振器から発振信号が入力される。そして、混合器２２から周波数変換された中間周波信号が出力される。
【０００３】
また、中間周波増幅器２３は平衡入力端を有する平衡型の増幅器として構成されている。そして、混合器２２の平衡出力端と中間周波増幅器２３の平衡入力端とが集積回路２１内で結合容量素子２４、２４によって接続され、中間周波信号が中間周波増幅器２３に入力される。また、集積回路２１には混合器２２の平衡出力端に接続された二つの外部端子２１ａ、２１ｂが設けられ、この外部端子２１ａ、２１ｂ間には中間周波同調回路２５が接続される。中間周波同調回路２５は図７に示すように映像中間搬送波Ｆｐと色副搬送波Ｆｃとのほぼ中間の周波数に同調する同調特性を有している。
【０００４】
以上のように、混合器２２と中間周波増幅器２３との間には外部端子２１ａ、２１ｂ間に接続された中間周波同調回路２５を設けることで、隣接チャンネルのテレビジョン信号を除去するようにし、受信チャンネルのテレビジョン信号のみを中間周波増幅器２３に入力し、中間周波増幅器２３から出力された中間周波信号ＩＦは集積回路２１外に設けたＳＡＷフィルタ（図示せず）等を介して映像検波器（図示せず）に入力される。
【０００５】
【発明が解決しようとする課題】
しかし、この構成では隣接チャンネルのテレビジョン信号を十分に減衰することが出来ず、隣接チャンネルに含まれる映像中間周波信号や音声中間周波信号によって妨害を受ける。この対策として同調回路２５内に隣接チャンネルに含まれる映像中間周波信号や音声中間周波信号を減衰するトラップ回路を設ければ良いが、そうすると、中間周波同調回路２５とトラップ回路とが互いに影響しあって同調周波数の設定やトラップ周波数の設定が困難になるという問題があった。
【０００６】
そこで、本発明では、中間周波同調回路の同調特性に影響を与えずに隣接チャンネルに含まれる映像中間周波信号や音声中間周波信号を減衰できるように構成することを目的とする。
【０００７】
【課題を解決するための手段】
上記の課題を解決するため、本発明では、第一の出力端と第二の出力端とを有する周波数変換用の平衡型の混合器と第一の入力端と第二の入力端とを有する平衡型の中間周波増幅器とを内蔵する集積回路を備え、前記第一の出力端と前記第一の入力端との間、及び前記第二の出力端と前記第二の入力端との間を前記集積回路内に形成した第一の容量素子によってそれぞれ接続し、前記集積回路には前記第一の出力端に接続された第一の外部端子と前記第二の出力端に接続された第二の外部端子と前記第一の入力端に接続された第三の外部端子とを設け、前記第一の外部端子と前記第二の外部端子との間には中間周波数帯のほぼ中心周波数に同調する中間周波同調回路を接続し、前記第一の外部端子と前記第三の外部端子とをインダクタンス素子によって結合した。
【０００８】
また、前記インダクタンス素子に直列に第二の容量素子を介挿すると共に前記第一の容量素子と前記インダクタンス素子と前記第二の容量素子とによって直並列共振回路を構成し、前記直並列共振回路の直列共振周波数をほぼ前記中心周波数に一致させ、並列共振周波数を下側隣接チャンネルの音声中間搬送波の周波数に一致させた。
【０００９】
【発明の実施の形態】
以下、図面に従って本発明のテレビジョンチューナの中間周波回路を説明する。図１において、集積回路１内には混合器２、中間周波増幅器３、その他局部発振器（図示せず）等が構成されている。混合器２は第一の出力端２ａと第二の出力端２ｂとを有する平衡型の混合器として構成され、混合器２の二つの平衡入力端２ｃ、２ｄには集積回路１の外部に設けられた複同調回路（図示せず）によって選択された受信チャンネルのテレビジョン信号ＲＦが入力されると共に、集積回路１内の局部発振器から発振信号が入力される。そして、混合器２から周波数変換された中間周波信号が出力される。
【００１０】
また、中間周波増幅器３は第一の入力端３ａと第二の入力端２ｂとを有する平衡型の増幅器として構成されている。そして、混合器２の第一の出力端２ａと中間周波増幅器３の第一の入力端３ａとの間、及び混合器２の第二の出力端２ｂと中間周波増幅器３の第二の入力端３ｂとの間が集積回路１内に形成した第一の容量素子４、４によってそれぞれ接続される。これによって、中間周波信号が中間周波増幅器３に平衡入力される。
【００１１】
また、集積回路１には混合器２の第一の出力端２ａに接続された第一の外部端子１ａと、第二の出力端２ｂに接続された第二の外部端子１ｂとが設けられ、これら外部端子１ａ、１ｂ間には中間周波同調回路５が接続される。中間周波同調回路５はインダクタンス素子５ａと容量素子５ｂとからなる並列同調回路で構成され、図２に示すような映像中間搬送波Ｆｐと色副搬送波Ｆｃとのほぼ中間の周波数に同調する同調特性を有している。
【００１２】
また、集積回路１には中間周波増幅器３の第一の入力端３ａに接続された第三の外部端子１ｃが設けられ、第一の外部端子１ａと第三の外部端子１ｃとの間にはインダクタンス素子６が接続される。この結果、第一の容量素子４とインダクタンス素子６とによって並列共振回路７が形成される。そして、並列共振回路７は、受信チャンネルの下側に隣接する下側隣接チャンネルの音声中間搬送波−Ｆｓに共振するように設定される。
【００１３】
この結果、混合器２と中間周波増幅器３との間には図３に示すような等価回路が構成される。そして、中間周波同調回路５が映像中間搬送波Ｆｐと色副搬送波Ｆｃとのほぼ中間の周波数に同調し、並列共振回路７が下側隣接チャンネルの音声中間搬送波−Ｆｓに共振することから、混合器２と中間周波増幅器３との間の伝送特性は図４に示すようになり、下側隣接チャンネルの音声中間搬送波−Ｆｓがトラップされる。そのため、下側隣接チャンネルの音声中間周波信号による妨害を受けにくくなる。この場合、並列共振回路７は中間周波同調回路５から独立しているので、共振周波数又は同調周波数が互いに影響しあうことがなく、それら周波数の設定が容易になる。そして中間周波増幅器３から出力された中間周波信号ＩＦは集積回路１外に設けたＳＡＷフィルタ（図示せず）等を介して映像検波器（図示せず）に入力される。
【００１４】
以上の説明では、並列共振回路７を下側隣接チャンネルの音声中間搬送波−Ｆｓに共振させるようにしたが、受信チャンネルの上側に隣接する上側隣接チャンネルの映像中間搬送波＋Ｆｐに共振させてもよい。この場合の伝送特性は図４の点線で示したようになり、上側隣接チャンネルの映像中間周波信号による妨害を受けにくくなる。
【００１５】
なお、図１に示したインダクタンス素子６に直列に第二の容量素子８を介挿すれば図５に示すように、インダクタンス素子６と第一の容量素子４と第二の容量素子８とによって直並列共振回路９が形成される。この場合、インダクタンス素子６と第二の容量素子８とによる直列共振周波数を受信チャンネルの映像中間搬送波Ｆｐと色副搬送波Ｆｃとのほぼ中間の周波数に設定し、全体の並列共振周波数を下側隣接チャンネルの音声中間搬送波−Ｆｓに設定すれば、混合器２と中間周波増幅器３との間の伝送特性は図４に示すようになり、同様に下側隣接チャンネルの音声中間周波信号による妨害を受けにくくなる。
【００１６】
以上のように、集積回路１に設けた第一の外部端子第三の外部端子１ｃとの間にインダクタンス素子６又はインダクタンス素子６と第二の容量素子８との直列回路を接続することによって中間周波同調回路５に影響をおよぼさない並列共振回路７または直並列共振回路９を設けることができ、これらの共振周波数の設定によって隣接チャンネルからの妨害を受けにくくすることができる。
【００１７】
【発明の効果】
以上説明したように、本発明は本発明では、第一の出力端と第二の出力端とを有する平衡型の混合器と第一の入力端と第二の入力端とを有する平衡型の中間周波増幅器とを内蔵する集積回路を備え、第一の出力端と第一の入力端との間、及び第二の出力端と第二の入力端との間を集積回路内に形成した第一の容量素子によってそれぞれ接続し、集積回路には第一の出力端に接続された第一の外部端子と第二の出力端に接続された第二の外部端子と第一の入力端に接続された第三の外部端子とを設け、第一の外部端子と第二の外部端子との間には中間周波同調回路を接続し、第一の外部端子と第三の外部端子とをインダクタンス素子によって結合したので、インダクタンス素子と第一の容量素子とによって並列共振回路が構成され、この並列共振回路を下側隣接チャンネルの音声中間搬送波または上側隣接チャンネルの映像中間搬送波の周波数に共振させることによって音声中間周波信号又は映像中間周波信号による妨害を受けにくくなる。
【００１８】
また、インダクタンス素子に直列に第二の容量素子を介挿すると共に第一の容量素子とインダクタンス素子と記第二の容量素子とによって直並列共振回路を構成し、直並列共振回路の直列共振周波数を中間周波数帯のほぼ中心周波数に一致させ、並列共振周波数を下側隣接チャンネルの音声中間搬送波の周波数に一致させたので、中間周波数帯の同調特性が急峻となり、さらに、下側隣接チャンネルの音声中間周波信号による妨害を一層受けにくくなる。
【図面の簡単な説明】
【図１】本発明のテレビジョンチューナの中間周波回路の構成を示す回路図である。
【図２】本発明のテレビジョンチューナの中間周波回路に使用する中間周波同調回路の同調特性図である。
【図３】本発明のテレビジョンチューナの中間周波回路の等価回路図である。
【図４】本発明のテレビジョンチューナの中間周波回路の伝送特性図である。
【図５】本発明のテレビジョンチューナの中間周波回路の他の等価回路図である。
【図６】従来のテレビジョンチューナの中間周波回路の構成を示す回路図である。
【図７】従来のテレビジョンチューナの中間周波回路に使用する中間周波同調回路の同調特性図である。
【符号の説明】
１  集積回路
１ａ  第一の外部端子
１ｂ  第二の外部端子
１ｃ  第三の外部端子
２  混合器
２ａ  第一の出力端
２ｂ  第二の出力端
２ｃ、２ｄ  平衡入力端
３  中間周波増幅器
３ａ  第一の入力端
３ｂ  第二の入力端
４  第一の容量素子
５  中間周波同調回路
５ａ  インダクタンス素子
５ｂ  容量素子
６  インダクタンス素子
７  並列共振回路
８  第二の容量素子
９  直並列共振回路
【図１】
0003716912.tif 000002
【図２】
0003716912.tif 000003
【図３】
0003716912.tif 000004
【図４】
0003716912.tif 000005
【図５】
0003716912.tif 000006
【図６】
0003716912.tif 000007
【図７】
0003716912.tif 000008